(57)【要約】【課題】使用者の意思に従って、無駄な基地局サーチによる電力消費を抑えることができる無線通信端末装置、基地局サーチ方法及びプログラムを提供する。【解決手段】無線通信を行うために基地局サーチを行う無線通信端末装置であって、使用者により入力された値を基地局サーチ間隔として設定する基地局サーチ設定手段と、基地局サーチ間隔に基づいて基地局サーチを行う基地局サーチ制御手段と、を有する。あるいは、無線通信を行うために基地局サーチを行う無線通信端末装置であって、使用者により入力された値を基地局サーチ停止時間帯として設定する基地局サーチ設定手段と、基地局サーチ停止時間帯の間は基地局サーチを停止する基地局サーチ制御手段と、を有する。【選択図】図１
2010098363.tif 000002
【特許請求の範囲】
【請求項１】
無線通信を行うために基地局サーチを行う無線通信端末装置であって、
使用者により入力された値を基地局サーチ間隔として設定する基地局サーチ設定手段と、
前記基地局サーチ間隔に基づいて基地局サーチを行う基地局サーチ制御手段と、
を有することを特徴とする無線通信端末装置。
【請求項２】
前記基地局サーチ設定手段は、
使用者により入力された値を基地局サーチ実施時刻として設定し、
前記基地局サーチ制御手段は、
現在時刻が前記基地局サーチ実施時刻と一致した場合に前記基地局サーチを開始することを特徴とする請求項１記載の無線通信端末装置。
【請求項３】
前記基地局サーチ設定手段は、
前記現在時刻に対して前記基地局サーチ間隔を加えて、前記基地局サーチ実施時刻を更新することを特徴とする請求項２記載の無線通信端末装置。
【請求項４】
前記基地局サーチ設定手段は、
使用者により入力された値を基地局サーチ停止時間帯として設定し、
前記基地局サーチ制御手段は、
現在時刻が前記基地局サーチ停止時間帯の停止開始時刻と一致した場合に前記基地局サーチを停止し、現在時刻が前記基地局サーチ停止時間帯の停止終了時刻と一致した場合に前記基地局サーチを再開することを特徴とする請求項１から３のいずれか１項に記載の無線通信端末装置。
【請求項５】
無線通信を行うために基地局サーチを行う無線通信端末装置であって、
使用者により入力された値を基地局サーチ停止時間帯として設定する基地局サーチ設定手段と、
前記基地局サーチ停止時間帯の間は基地局サーチを停止する基地局サーチ制御手段と、
を有することを特徴とする無線通信端末装置。
【請求項６】
無線通信を行う装置で実施される基地局サーチ方法であって、
使用者により入力された値を基地局サーチ間隔として設定するステップと、
前記基地局サーチ間隔に基づいて基地局サーチを行うステップと、
を有することを特徴とする基地局サーチ方法。
【請求項７】
無線通信を行う装置で実施される基地局サーチ方法であって、
使用者により入力された値を基地局サーチ停止時間帯として設定するステップと、
前記基地局サーチ停止時間帯の間は基地局サーチを停止するステップと、
を有することを特徴とする基地局サーチ方法。
【請求項８】
無線通信を行う装置に実行させるためのプログラムであって、
使用者により入力された値を基地局サーチ間隔として設定する処理と、
前記基地局サーチ間隔に基づいて基地局サーチを行う処理と、
を装置に実行させることを特徴とするプログラム。
【請求項９】
無線通信を行う装置に実行させるためのプログラムであって、
使用者により入力された値を基地局サーチ停止時間帯として設定する処理と、
前記基地局サーチ停止時間帯の間は基地局サーチを停止する処理と、
を装置に実行させることを特徴とするプログラム。
【発明の詳細な説明】
【技術分野】
【０００１】
本発明は、基地局を介した無線通信を行う無線通信端末装置、基地局サーチ方法及びプログラムに関する。
【背景技術】
【０００２】
一般に、携帯電話等の無線通信端末装置は、同期が取れている在圏状態にある無線基地局から遠ざかるなどして、受信レベルが低下し、サービスエリア圏外の状態に移行した場合、全チャンネルサーチと称される方法等の基地局サーチを周期的に行い、他の基地局のシステムサービスエリア圏内に移行し、通信可能な状態を維持する動作を自動で行う。
【０００３】
また、一般的に基地局サーチは、無線通信端末装置の受信検波回路や制御部を動作させる必要があるため、その周期次第で電力消費が著しくなり、端末装置の駆動時間を縮めてしまう。そこで、例えば、圏外状態が一定時間継続したときに、基地局サーチの間隔（周期）を圏内にいるときよりも長くする技術が知られている（例えば、特許文献１参照）。
【０００４】
しかし、基地局サーチの間隔の変更は、無線通信端末装置自身が自動で行っているものであり、無線通信端末装置の使用者（操作者・利用者・ユーザ）の意思を反映した動作とはなっていなかった。
【特許文献１】特開２００６−２３７８５０号公報
【発明の開示】
【発明が解決しようとする課題】
【０００５】
本発明は、上記事情に鑑みてなされたものであり、使用者の意思に従って、無駄な基地局サーチによる電力消費を抑えることができる無線通信端末装置、基地局サーチ方法及びプログラムを提供することを目的とする。
【課題を解決するための手段】
【０００６】
かかる目的を達成するために、本発明の無線通信端末装置は、第１の態様として、無線通信を行うために基地局サーチを行う無線通信端末装置であって、使用者により入力された値を基地局サーチ間隔として設定する基地局サーチ設定手段と、基地局サーチ間隔に基づいて基地局サーチを行う基地局サーチ制御手段と、を有することを特徴とする。
【０００７】
また、本発明の無線通信端末装置は、第２の態様として、無線通信を行うために基地局サーチを行う無線通信端末装置であって、使用者により入力された値を基地局サーチ停止時間帯として設定する基地局サーチ設定手段と、基地局サーチ停止時間帯の間は基地局サーチを停止する基地局サーチ制御手段と、を有することを特徴とする。
【０００８】
本発明の基地局サーチ方法は、第１の態様として、無線通信を行う装置で実施される基地局サーチ方法であって、使用者により入力された値を基地局サーチ間隔として設定するステップと、基地局サーチ間隔に基づいて基地局サーチを行うステップと、を有することを特徴とする。
【０００９】
また、本発明の基地局サーチ方法は、第２の態様として、無線通信を行う装置で実施される基地局サーチ方法であって、使用者により入力された値を基地局サーチ停止時間帯として設定するステップと、基地局サーチ停止時間帯の間は基地局サーチを停止するステップと、を有することを特徴とする。
【００１０】
本発明のプログラムは、第１の態様として、無線通信を行う装置に実行させるためのプログラムであって、使用者により入力された値を基地局サーチ間隔として設定する処理と、基地局サーチ間隔に基づいて基地局サーチを行う処理と、を装置に実行させることを特徴とする。
【００１１】
また、本発明のプログラムは、第２の態様として、無線通信を行う装置に実行させるためのプログラムであって、使用者により入力された値を基地局サーチ停止時間帯として設定する処理と、基地局サーチ停止時間帯の間は基地局サーチを停止する処理と、を装置に実行させることを特徴とする。
【発明の効果】
【００１２】
本発明によれば、使用者の意思に従って、無駄な基地局サーチによる電力消費を抑えることが可能となる。
【発明を実施するための最良の形態】
【００１３】
〔実施形態１〕
以下、本発明の無線通信端末装置、無線通信端末装置の基地局サーチ方法及びプログラムの実施形態について添付図面を参照して詳細に説明する。なお、本実施形態では、無線通信端末装置の一例として、電話機能や電子メール機能等を備えた携帯電話を用いて説明するが、携帯電話に限られるものではなく、基地局を介する無線通信機能を備えた装置・機器であればよい。
【００１４】
本実施形態の携帯電話のハードウェア構成について、図１を参照しながら説明する。図１は、本実施形態の携帯電話のハードウェア構成を示すブロック図である。図１に示すように、本実施形態の携帯電話は、ＣＰＵ（Central Processing Unit）１０、ＲＯＭ（Read Only Memory）１１、ＲＡＭ（Random Access Memory）１２、無線部１３、時計部１４、操作部１５、表示部１６、記憶部１７、バス２０を有している。なお、図１には図示していないが、本実施形態の携帯電話は、電話機能を実現するための受話部及び送話部（スピーカ及びマイク）も有する。
【００１５】
ＣＰＵ１０は、バス２０を介して携帯電話内の各部に接続されており、ＲＯＭ１１からプログラムを読み出し、そのプログラムに従って携帯電話の動作を制御し、基地局サーチ方法（基地局サーチ設定機能、基地局サーチ制御機能）を実現する。基地局サーチ設定機能とは、携帯電話の使用者（以下、使用者という）が、所望の基地局サーチの間隔や基地局サーチの実施時刻などを設定できる機能であり、基地局サーチ制御機能とは、基地局サーチ設定機能によりなされた設定に従って、基地局サーチの実施を制御する機能である。
【００１６】
ＲＯＭ１１は、各種制御用プログラム等の固定データを格納した記憶媒体である。ＲＯＭ１１には、上記基地局サーチ方法（基地局サーチ設定機能、基地局サーチ制御機能）を携帯電話に実行させるためのプログラムが格納されている。
【００１７】
ＲＡＭ１２は、ＣＰＵ１０がＲＯＭ１１から読み込んだプログラムを実行する上で一時的に必要とされるデータを格納する作業用記憶媒体である。
【００１８】
以上のことから、ＣＰＵ１０、ＲＯＭ１１、ＲＡＭ１２は全てまとめて、基地局サーチ設定手段及び基地局サーチ制御手段と呼ぶことができる。
【００１９】
無線部１３は、基地局との無線通信によって電話機能（電話の着信、発信、通話）や電子メール機能（メールの受信、送信）を行う回路である。この無線部１３には、基地局等を備える無線通信網を介した無線通信を可能とするためのアンテナを含むものとする。
【００２０】
時計部１４は、年、月、日、時、分、秒を計時する。また、時計部１４は、ＣＰＵ１０からの要求に従って、計時結果として、現在時刻を示す時刻情報を出力する。
【００２１】
操作部１５は、使用者が所望の操作を行うときに使用するキーやボタン群である。操作部１５の例としては、テンキー、カーソルキー、サイドキー、タッチパネル等が挙げられる。本実施形態では、使用者が操作部１５を操作することで、所望の基地局サーチ間隔や基地局サーチ実施時刻が入力される。
【００２２】
表示部１６は、例えば文字や画像などの各種情報を表示する装置である。表示部８の例としては、液晶ディスプレイ等が挙げられる。
【００２３】
記憶部１７は、ＲＯＭ１１及びＲＡＭ１２とは別の記憶媒体である。本実施形態では、基地局サーチ方法（基地局サーチ制御機能）を実現するための情報として、図１に示すように基地局サーチ間隔情報７１と基地局サーチ実施時刻情報７２が格納される。ここで、これら各情報について以下に説明する。
【００２４】
まず、基地局サーチ間隔情報７１について説明する。基地局サーチ間隔情報７１は、基地局サーチを実施する間隔を示す情報であり、圏内と圏外とでそれぞれ設定される。すなわち、携帯電話が圏内のときに適用される基地局サーチ間隔と、携帯電話が圏外のときに適用される基地局サーチ間隔とがそれぞれ設定される。基地局サーチ間隔情報７１は、基地局サーチ設定機能で使用者により指定された値か、あるいは、予めデフォルトとして設定された値となる。なお、使用者により操作部１５を介して所望の値が入力されると、基地局サーチ設定機能設定により、入力された値が基地局サーチ間隔情報７１として記憶部１７に格納される。
【００２５】
基地局サーチ間隔情報７１の一例を図２に示す。図２に示すように、基地局サーチ間隔情報７１は、圏外または圏内を示すステータス毎に、基地局サーチ間隔の値が対応付けられて設定されている。基地局サーチ間隔の値としては、上記基地局サーチ設定機能設定により、例えば時・分・秒などの時間が設定される。図中の「ＨＨ：ＭＭ：ＳＳ」は所定の「時：分：秒」を表している。このように本実施形態の携帯電話では、圏内か圏外に応じて、使用者により予め設定された基地局サーチ間隔が適用され、基地局サーチが行われることになる。なお、使用者による基地局サーチ間隔情報７１の設定が行われない場合、従来のように、基地局サーチ間隔の値は予めデフォルトとして設定された値（ＡＵＴＯ値）となる。そして、そのＡＵＴＯ値が基地局サーチ間隔として適用され、自動で基地局サーチが行われることになる。
【００２６】
次に、基地局サーチ実施時刻情報７２について説明する。基地局サーチ実施時刻情報７２は、次に基地局サーチの実施を開始する時刻を示す情報である。基地局サーチ実施時刻情報７２は、基地局サーチ設定機能で使用者により指定された値か、あるいは、予めデフォルトとして設定された値となる。使用者により操作部１５を介して所望の値が入力されると、基地局サーチ設定機能設定により、入力された値が基地局サーチ実施時刻情報７２として記憶部１７に格納される。
【００２７】
基地局サーチ実施時刻情報７２の一例を図３に示す。図３に示すように、基地局サーチ実施時刻情報７２は、基地局サーチ実施時刻の値が設定されている。図中の「ＹＹＹＹ／ＭＭ／ＤＤ  ＨＨ：ＭＭ：ＳＳ」は所定の「年／月／日  時：分：秒」を表している。
【００２８】
バス２０は、図１に示す各部間でやり取りされるデータ（例えば、各種情報や各種信号など）の経路である。
【００２９】
次に、本実施形態の携帯電話の動作（本発明の携帯電話の基地局サーチ方法の一実施形態）について、図４を参照しながら説明する。図４は、本実施形態の携帯電話における基地局サーチ制御機能の動作を示すフローチャートである。なお、基地局サーチ間隔情報７１と基地局サーチ実施時刻情報７２は、基地局サーチ設定機能により設定済みであるものとする。
【００３０】
携帯電話は、時計部１２から現在時刻を示す時刻情報を取得し（ステップＳ１）、現在時刻が、記憶部１７に格納されている基地局サーチ実施時刻情報７２になったかを判断する（ステップＳ２）。
【００３１】
現在時刻が基地局サーチ実施時刻情報７２になった場合（ステップＳ２／ＹＥＳ）、携帯電話は、無線部１３を制御して基地局サーチを開始する（ステップＳ３）。
【００３２】
携帯電話は、記憶部１７に格納されている基地局サーチ実施時刻情報７２を更新する（ステップＳ４）。この更新では、現在時刻に対し、携帯電話が現在圏内であるか又は圏外であるかに応じて、記憶部１７に格納されている基地局サーチ間隔情報７１が加えられる。すなわち、現在時刻に基地局サーチ実施時刻情報７２を加算した値が更新値となる。ステップＳ４の後はステップＳ１に戻り、上述した動作を繰り返す。なお、携帯電話が、現在圏内であるか又は圏外であるかを判断する技術は公知の技術を採用できる。
【００３３】
以上説明したように、本実施形態によれば、携帯電話の使用者が基地局サーチ間隔を自由に設定できる。よって、サーチ間隔を長くすることで、無駄な基地局サーチによるバッテリー蓄電量の消費を抑えることができる。
【００３４】
〔実施形態２〕
上記実施形態１では、基地局サーチ間隔を使用者が自由に設定できるようにすることで、無駄な基地局サーチによる消費電力の抑制を実現した。本実施形態では、基地局サーチ停止時間帯を使用者が自由に設定できるようにすることで、実施形態１と同様に、無駄な基地局サーチによる消費電力の抑制の実現を目的とする。
【００３５】
本実施形態の携帯電話の構成は、図１に示す実施形態１の構成と基本的に同じであるので、ここでの説明は省略する。本実施形態では、記憶部１７に記憶される情報が、基地局サーチ停止時間帯情報である点が実施形態１と異なる。
【００３６】
基地局サーチ停止時間帯情報について説明する。基地局サーチ停止時間帯情報は、基地局サーチを停止する時間帯を示す情報である。基地局サーチ停止時間帯情報は、基地局サーチ設定機能で使用者により指定された値となる。使用者により操作部１５を介して所望の値が入力されると、基地局サーチ設定機能設定により、入力された値が基地局サーチ停止時間帯情報として記憶部１７に格納される。
【００３７】
基地局サーチ停止時間帯情報一例を図５に示す。図５に示すように、基地局サーチ停止時間帯情報は、基地局サーチの停止を開始する時刻の値（停止開始時刻）と、基地許サーチの停止を終了する時刻の値（停止終了時刻）とが設定されている。図中の「ＹＹＹＹ／ＭＭ／ＤＤ  ＨＨ：ＭＭ：ＳＳ」は所定の「年／月／日  時：分：秒」を表している。
【００３８】
次に、本実施形態の携帯電話の動作（本発明の携帯電話の基地局サーチ方法の一実施形態）について、図６を参照しながら説明する。図６は、本実施形態の携帯電話における基地局サーチ制御機能の動作を示すフローチャートである。なお、基地局サーチ停止時間帯情報（停止開始時刻及び停止終了時刻）は、基地局サーチ設定機能により設定済みであるものとする。
【００３９】
携帯電話は、時計部１２から現在時刻を示す時刻情報を取得し（ステップＳ１１）、現在時刻が、記憶部１７に格納されている基地局サーチ停止時間帯情報の停止開始時刻になったかを判断する（ステップＳ１２）。
【００４０】
現在時刻が停止開始時刻になった場合（ステップＳ１２／ＹＥＳ）、携帯電話は、無線部１３を制御して基地局サーチを停止する（ステップＳ１３）。
【００４１】
携帯電話は、基地局サーチの停止後、時計部１２から現在時刻を示す時刻情報を取得し（ステップＳ１４）、現在時刻が、記憶部１７に格納されている基地局サーチ停止時間帯情報の停止終了時刻になったかを判断する（ステップＳ１５）。
【００４２】
現在時刻が停止終了時刻になった場合（ステップＳ１５／ＹＥＳ）、携帯電話は、無線部１３を制御して基地局サーチを再開する（ステップＳ１６）。ステップＳ１６の後はステップＳ１１に戻り、上述した動作を繰り返す。
【００４３】
以上説明したように、本実施形態によれば、携帯電話の使用者が基地局サーチ停止時間帯を自由に設定できる。よって、例えば、就寝中や就業中などの携帯電話の使用頻度が低い時間帯において基地局サーチを停止するように設定することで、無駄な基地局サーチによるバッテリー蓄電量の消費を抑えることができる。
【００４４】
なお、本実施形態２は、上述したように単独で構成してもよいし、あるいは、上記実施形態１と組み合わせて（実施形態１に付加して）構成してもよい。携帯電話において、両実施形態で説明した構成、動作をともに実現可能とした場合、例えば、実施形態１の動作と実施形態２の動作とを、使用者の希望に応じて切り替えられるようにしてもよい。
【００４５】
以上、本発明の各実施形態について説明したが、上記各実施形態に限定されるものではなく、その要旨を逸脱しない範囲において種々の変形が可能である。
【００４６】
例えば、上述した各実施形態における動作（各フローチャートに示す動作）は、ハードウェア、または、ソフトウェア、あるいは、両者の複合構成によって実行することも可能である。
【００４７】
ソフトウェアによる処理を実行する場合には、処理シーケンスを記録したプログラムを、専用のハードウェアに組み込まれているコンピュータ内のメモリにインストールして実行させてもよい。あるいは、各種処理が実行可能な汎用コンピュータにプログラムをインストールして実行させてもよい。
【００４８】
例えば、プログラムは、記録媒体としてのハードディスクやＲＯＭ（Read Only Memory）に予め記録しておくことが可能である。あるいは、プログラムは、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的、あるいは、永続的に格納（記録）しておくことが可能である。このようなリムーバブル記録媒体は、いわゆるパッケージソフトウエアとして提供することが可能である。
【００４９】
なお、プログラムは、上述したようなリムーバブル記録媒体からコンピュータにインストールする他、ダウンロードサイトから、コンピュータに無線転送してもよい。または、ＬＡＮ(Local Area Network)、インターネットといったネットワークを介して、コンピュータに有線で転送してもよい。コンピュータでは、転送されてきたプログラムを受信し、内蔵するハードディスク等の記録媒体にインストールすることが可能である。
【００５０】
また、上記実施形態で説明した処理動作に従って時系列的に実行されるのみならず、処理を実行する装置の処理能力、あるいは、必要に応じて並列的にあるいは個別に実行するように構築することも可能である。
【産業上の利用可能性】
【００５１】
本発明は、基地局サーチにより電力を消費する装置・機器、システム、方法、プログラムに適用できる。
【図面の簡単な説明】
【００５２】
【図１】本発明の実施形態１に係る携帯電話の要部構成を示すブロック図である。
【図２】本発明の実施形態１に係る携帯電話が有する基地局サーチ間隔情報の一例を示す図である。
【図３】本発明の実施形態１に係る携帯電話が有する基地局サーチ実施時刻情報の一例を示す図である。
【図４】本発明の実施形態１に係る携帯電話の動作を示すフローチャートである。
【図５】本発明の実施形態２に係る携帯電話が有する基地局サーチ停止時間帯情報の一例を示す図である。
【図６】本発明の実施形態２に係る携帯電話の動作を示すフローチャートである。
【符号の説明】
【００５３】
１０    ＣＰＵ
１１    ＲＯＭ
１２    ＲＡＭ
１３    無線部
１４    時計部
１５    操作部
１６    表示部
１７    記憶部
２０    バス
７１    基地局サーチ間隔情報
７２    基地局サーチ実施時刻情報
【図１】
2010098363.tif 000003
【図２】
2010098363.tif 000004
【図３】
2010098363.tif 000005
【図４】
2010098363.tif 000006
【図５】
2010098363.tif 000007
【図６】
2010098363.tif 000008